(57)【特許請求の範囲】
【請求項１】
ぜんまいを収容した香箱車と、
前記ぜんまいを巻き上げ可能に設けられた角穴車と、
前記ぜんまいの巻き上げ時に前記角穴車の回転に基づいて一方向に回転するとともに、前記ぜんまいの巻き戻し時に前記香箱車の回転に基づいて他方向に回転する歯車と、
指針が取り付けられ、前記歯車に連結された巻印車と、
を備え、
前記巻印車は、時針が取り付けられた筒車と同軸に配置され、少なくとも１つの中間車を介して、前記歯車に連結され、
前記巻印車は、前記筒車に対して隙間を有した状態で配置され、輪列受により回転可能に支持されていることを特徴とするパワーリザーブ機構。
【請求項２】
前記巻印車は、前記筒車から離間するように、針座により前記筒車の軸方向に付勢されている、
ことを特徴とする請求項１に記載のパワーリザーブ機構。
【請求項３】
請求項１または請求項２に記載されたパワーリザーブ機構を備えたことを特徴とするムーブメント。
【請求項４】
請求項３に記載のムーブメントを備えたことを特徴とする時計。
【発明の詳細な説明】
【技術分野】
【０００１】
本発明は、パワーリザーブ機構、ムーブメントおよび時計に関するものである。
【背景技術】
【０００２】
従来、機械式時計では、動力源としてぜんまいを備えている。ぜんまいは、一杯に巻き上げられた全巻状態から徐々に巻き戻ることにより動力を供給する。ぜんまいを動力源とする機械式時計では、ぜんまいの巻き上げ量（動力）の残量を表示する表示部を備えたパワーリザーブ機構を有する場合がある（例えば、特許文献１参照）。パワーリザーブ機構の表示部は、所定の角度範囲内で回動する指針を備えている。指針は、ぜんまいの巻き上げ時には一方向に回動し、ぜんまいの巻き戻し時には他方向に回動する。このようにして、パワーリザーブ機構を備える機械式時計は、ぜんまいの巻き上げ量を表示している。
【先行技術文献】
【特許文献】
【０００３】
【特許文献１】特開２０００−９８０５６号公報
【発明の概要】
【発明が解決しようとする課題】
【０００４】
ところで、時計の文字板上の中心部以外の場所には、日付を表示する日表示部等の、パワーリザーブ機構以外の表示部が配置されることがある。そして、パワーリザーブ機構の表示部は、他の表示部との関係により配置位置が決定される。このため、パワーリザーブ機構は、表示部の位置との関係から輪列の位置を適宜設定する必要がある。その結果、パワーリザーブ機構の輪列は、限られたムーブメントのスペースの中において配置しなければならないため、場合によっては配置できなくなってしまうこともある。
【０００５】
そこで本発明は、ムーブメントのスペースを有効に活用するとともに、表示部の配置自由度を向上させることができるパワーリザーブ機構、ムーブメントおよび時計を提供するものである。
【課題を解決するための手段】
【０００６】
本発明のパワーリザーブ機構は、ぜんまいを収容した香箱車と、前記ぜんまいを巻き上げ可能に設けられた角穴車と、前記ぜんまいの巻き上げ時に前記角穴車の回転に基づいて一方向に回転するとともに、前記ぜんまいの巻き戻し時に前記香箱車の回転に基づいて他方向に回転する歯車と、指針が取り付けられ、前記歯車に連結された巻印車と、を備え、前記巻印車は、時針が取り付けられた筒車と同軸に配置され、少なくとも１つの中間車を介して、前記歯車に連結されていることを特徴とする。
【０００７】
本発明によれば、指針が取り付けられた巻印車は、時針が取り付けられた筒車と同軸に配置されているので、時針の回転中心と同軸に指針の回転中心を配置できる。これにより、パワーリザーブ機構の香箱車、角穴車、歯車および巻印車を備える輪列の位置を変更することなく、指針を回動させる領域を時針の回転中心周りの何れの領域にも設定することができる。しかも、巻印車は、少なくとも１つの中間車を介して歯車に連結されているので、中間車の数や大きさ、位置等を適宜設定することで、巻印車とこれに連結された歯車の径を小さくすることができる。また、中間車の減速比を適宜変更することにより、巻印車に取り付けられた指針の回動範囲を調整できるので、パワーリザーブ機構の指針を備える表示部の大きさを調整することができる。したがって、ムーブメントのスペースを有効に活用するとともに、表示部の配置自由度を向上させることができるパワーリザーブ機構を提供できる。
さらに、時針の回転中心と同軸に指針の回転中心を配置できるので、指針の回転中心が時針の回転中心からずれた位置に設けられる構成と比較して、指針を長く形成することができる。これにより、パワーリザーブ機構の表示部の視認性を向上させることができる。
【０００８】
上記のパワーリザーブ機構において、前記巻印車は、前記筒車に対して隙間を有した状態で配置され、輪列受により回転可能に支持されている、ことが望ましい。
【０００９】
本発明によれば、巻印車は、筒車に対して摺接することなく回転できるので、筒車の回転に伴う巻印車の連れ回りを防止できる。したがって、ぜんまいの巻き上げ量をより正確に表示することができる。
【００１０】
上記のパワーリザーブ機構において、前記巻印車は、前記筒車から離間するように、針座により前記筒車の軸方向に付勢されている、ことが望ましい。
【００１１】
本発明によれば、巻印車が筒車から離間するように針座により付勢されるので、巻印車が筒車に対して隙間を有する状態とすることができる。したがって、筒車の回転に伴う巻印車の連れ回りを確実に防止でき、ぜんまいの巻き上げ量をより正確に表示することができる。
【００１２】
本発明のムーブメントは、上記のパワーリザーブ機構を備えたことを特徴とする。
【００１３】
本発明によれば、ムーブメントのスペースを有効に活用することができるパワーリザーブ機構を備えるので、設計の自由度が大きいムーブメントとすることができる。
【００１４】
本発明の時計は、上記のムーブメントを備えたことを特徴とする。
【００１５】
本発明によれば、ぜんまいの巻き上げ量を表示できる時計を提供することができる。
【発明の効果】
【００１６】
本発明によれば、ムーブメントのスペースを有効に活用するとともに、表示部の配置自由度を向上させることができるパワーリザーブ機構を提供できる。
【図面の簡単な説明】
【００１７】
【図１】実施形態に係る時計の平面図である。
【図２】実施形態に係るムーブメントの表側の平面図である。
【図３】図２のＩＩＩ−ＩＩＩ線に沿った断面図である。
【図４】実施形態に係る時計の他の例を示す平面図である。
【発明を実施するための形態】
【００１８】
以下、本発明の実施形態について図面を参照して説明する。
図１は、実施形態に係る時計の平面図である。
図１に示すように、時計１は、機械式時計であって、図示しないケース裏蓋およびガラス２からなる時計ケース３内に、ムーブメント５と、時に関する情報を示す目盛り等を有する文字板１１と、を備えている。文字板１１とガラス２との間には、時を示す時針４ａ、分を示す分針４ｂおよび秒を示す秒針４ｃが中心軸Ｏ上に同軸で配置されている。なお、以下の説明では、ムーブメント５の基板を構成する地板７１に対して時計ケース３のガラス２側をムーブメント５の「裏側」と称し、ケース裏蓋（不図示）をムーブメント５の「表側」と称する（図３参照）。
【００１９】
また、文字板１１上には、日付を表示する日表示部１２と、後述するパワーリザーブ機構２０の表示部１５と、が設けられている。日表示部１２は、文字板１１上の６時の位置に設けられた円形状の目盛り１３と、目盛り１３の中心に回転可能に配置された日表示針１４と、を有する。これにより、時計１では、時刻に加え、日付を確認することが可能とされている。なお、図１では日表示部１２に目盛り１３の日付の一部のみを図示している。パワーリザーブ機構２０の表示部１５は、中心軸Ｏを中心として１時から５時の角度範囲に亘って設けられた扇状の目盛り１６と、中心軸Ｏを回転中心として目盛り１６の範囲内で回動可能に設けられた指針１７と、を有する。
【００２０】
また、時計１は、巻真６を備えている。巻真６は、例えば、日付の修正や、時刻表示（時および分の表示）を修正する際に用いられる時計部品である。巻真６の一端部には、時計ケースの側方に位置するりゅうず７が取り付けられている。
【００２１】
図２は、実施形態に係るムーブメントの表側の平面図である。図３は、図２のＩＩＩ−ＩＩＩ線に沿った断面図である。
図２および図３に示すように、ムーブメント５は、地板７１を有している。地板７１の表側には、てんぷ、がんぎ車、アンクル等を含む図示しない脱進・調速機構と、四番車４３、三番車（不図示）、二番車４１および香箱車２１を含む表輪列と、が少なくとも配置されている。地板７１の裏側には、筒かな４５および筒車４７を含む裏輪列が少なくとも配置されている。
【００２２】
時計１は、いわゆる自動巻き式の腕時計であって、回転錘８をユーザーの動きにより回転させることで、自動巻輪列を介して時計１の動力源であるぜんまい２２が巻き上げられる。また、時計１は、手動によってもぜんまい２２の巻き上げが可能となっており、りゅうず７（図１参照）を回転させることで、手動巻輪列を介してぜんまい２２が巻き上げられる。
【００２３】
香箱車２１は、地板７１と、地板７１よりも表側に配置された一番受７３と、により回転可能に支持されている。香箱車２１は、ぜんまい２２を収容しており、ぜんまい２２が巻き戻される際の回転トルクにより回転する。ぜんまい２２の巻き上げ時には、香箱真２１ａに取り付けられた香箱真かな２１ｂが一方向に回転される。ぜんまい２２の巻き戻し時には、香箱かな２１ｃが香箱歯車２１ｄとともに他方向に回転される。香箱車２１は、表輪列を介して不図示の脱進・調速機構に連結されている。
【００２４】
二番車４１は、地板７１と、地板７１と一番受７３との間に配置された二番受７４と、により中心軸Ｏ回りに回転可能に支持されている。二番車４１は、中空の軸部４１ａと、軸部４１ａに固定された二番歯車４１ｂと、を有する。二番歯車４１ｂは、香箱車２１の香箱歯車２１ｄに連結されている。
【００２５】
四番車４３は、二番車４１と同軸に配置されている。四番車４３は、車軸４３ａと、車軸４３ａに固定された四番歯車４３ｂと、を有する。車軸４３ａは、二番車４１の軸部４１ａ内に回転可能に挿通されている。車軸４３ａには、秒針４ｃが取り付けられる。
【００２６】
筒かな４５は、二番車４１と同軸に配置されている。筒かな４５は、二番車４１の軸部４１ａにスリップ回転可能に外挿されている。筒かな４５には、分針４ｂが取り付けられている。
【００２７】
筒車４７は、二番車４１と同軸に配置されている。筒車４７は、中空の軸部４７ａと、軸部４７ａの表側端部に設けられた筒歯車４７ｂと、筒歯車４７ｂの裏側に配置された筒車かな４７ｃと、を有する。軸部４７ａは、筒かな４５に回転可能に外挿されている。筒車４７は、地板７１、および地板７１よりも裏側に配置された第二地板７２により、軸方向の移動が規制されている。筒車４７には、時針４ａが取り付けられている。
【００２８】
このような構成のもと、二番車４１が回転すると、三番車（不図示）を介して四番車４３が回転し、四番車４３に取り付けられた秒針４ｃが「秒」を表示する。また、二番車４１が回転すると、二番車４１の軸部４１ａに軽圧入された筒かな４５が同時に回転し、筒かな４５に取り付けられた分針４ｂが「分」を表示する。さらに、筒かな４５の回転に基づいて、不図示の日の裏車の回転を介して筒車４７が回転し、筒車４７に取り付けられた時針４ａが「時」を表示する。
【００２９】
また、時計１は、日回し機構５０と、カレンダ修正機構６０と、パワーリザーブ機構２０と、を備えている。日回し機構５０は、ムーブメント５に組み込まれ、上述した日表示針１４（図１参照）を駆動する輪列である。日回し車５１が２４時間で１回転し、日回しつめ５２により１回転毎に日星車５３を１歯ずつ送る。日星車５３は日ジャンパ５４により付勢されている。カレンダ修正機構６０は、ムーブメント５に組み込まれ、日付を修正するカレンダ修正輪列である。第一日修正伝え車６１に日修正レバー６２の一端が軽い力で挟持し、かつ、第一日修正伝え車６１の回転軸に対して揺動可能に取り付けられている。日修正レバー６２の他端には回転自由に第二日修正伝え車６３が取り付けられている。日修正レバー６２が揺動し、第二日修正伝え車６３が日修正車６４と噛み合う位置において日付を修正する。パワーリザーブ機構２０は、ぜんまい２２の巻き上げ量を表示する。パワーリザーブ機構２０は、上述した表示部１５と、ムーブメント５に組み込まれ、指針１７を駆動する輪列と、を備えている。
【００３０】
パワーリザーブ機構２０の輪列は、上述した香箱車２１と、角穴車２３と、遊星伝え車２５と、第一太陽車２７と、第二太陽車２９（歯車）と、遊星ユニット３０と、第一巻印中間車３３と、第二巻印中間車３５と、巻印車３７と、を備えている。
【００３１】
角穴車２３は、手動巻輪列および自動巻輪列に連結されている。角穴車２３は、香箱真２１ａに固定され、回転することにより香箱車２１に収容されたぜんまい２２を巻き上げる。
【００３２】
遊星伝え車２５は、地板７１と、第二地板７２よりも裏側に配置された第二輪列受７５と、により回転可能に支持されている。遊星伝え車２５は、遊星伝えかな２５ａと、遊星伝え歯車２５ｂと、を有する。遊星伝えかな２５ａは、香箱真かな２１ｂと噛み合っている。これにより、遊星伝え車２５は、香箱真２１ａの回転に基づいて回転する。遊星伝え歯車２５ｂは、遊星伝えかな２５ａに対してスリップ回転可能に設けられている。
【００３３】
第一太陽車２７は、地板７１と第二輪列受７５とにより回転可能に支持されている。第一太陽車２７は、太陽真２７ａと、第一太陽歯車２７ｂと、第一太陽かな２７ｃと、を有する。第一太陽歯車２７ｂは、太陽真２７ａに装着され、香箱かな２１ｃと噛み合っている。これにより、第一太陽車２７は、香箱かな２１ｃの回転に基づいて回転する。
【００３４】
第二太陽車２９は、第一太陽車２７と同軸に配置され、太陽真２７ａに回転自在に外挿されている。第二太陽車２９は、第二太陽歯車２９ａと、第二太陽かな２９ｂと、を有する。
【００３５】
遊星ユニット３０は、遊星中間車３１と、遊星車３２と、を有する。遊星中間車３１は、第一太陽車２７と同軸に配置され、第一太陽歯車２７ｂと第二太陽歯車２９ａとの間において太陽真２７ａに回転自在に外挿されている。遊星中間車３１は、遊星伝え歯車２５ｂと噛み合う遊星中間歯車３１ａを有する。また、遊星中間車３１の偏心位置には、軸受孔３１ｂが形成されている。遊星車３２は、遊星真３２ａと、遊星歯車３２ｂと、遊星かな３２ｃと、を有する。遊星真３２ａは、遊星中間車３１の軸受孔３１ｂに回転自在に挿通されている。遊星歯車３２ｂは、遊星中間車３１の表側で遊星真３２ａに装着され、第一太陽かな２７ｃと噛み合っている。遊星かな３２ｃは、遊星中間車３１の裏側で遊星真３２ａに装着され、第二太陽歯車２９ａと噛み合っている。
【００３６】
第一巻印中間車３３は、第二地板７２と第二輪列受７５とにより回転可能に支持されている。第一巻印中間車３３は、第一巻印中間歯車３３ａを有している。第一巻印中間歯車３３ａは、第二太陽かな２９ｂと噛み合っている。これにより、第一巻印中間車３３は、第二太陽車２９の回転に基づいて回転する。
【００３７】
第二巻印中間車３５は、第二地板７２と第二輪列受７５とにより回転可能に支持されている。第二巻印中間車３５は、第二巻印中間歯車３５ａを有している。第二巻印中間歯車３５ａは、第一巻印中間歯車３３ａと噛み合っている。これにより、第二巻印中間車３５は、第一巻印中間車３３の回転に基づいて回転する。
【００３８】
巻印車３７は、筒車４７と同軸に配置され、第二輪列受７５により回転可能に支持されている。巻印車３７は、第二輪列受７５に表側から当接している。巻印車３７は、中空の巻印真３７ａと、巻印真３７ａの表側端部に設けられた巻印歯車３７ｂと、を有する。巻印真３７ａの内側には、筒車４７の軸部４７ａが隙間をあけて挿通されている。巻印歯車３７ｂは、第二巻印中間歯車３５ａと噛み合っている。これにより、巻印車３７は、第二巻印中間車３５の回転に基づいて回転する。
【００３９】
巻印車３７は、筒車かな４７ｃとの間に配置された針座３９により弾性的に押圧されることで、筒車かな４７ｃから離間するように、筒車４７の軸方向に付勢されている。これにより、巻印車３７は、筒車４７に対して常時隙間を有する状態となっている。
【００４０】
以下、本実施形態のパワーリザーブ機構２０の動作について説明する。
ぜんまい２２の巻き上げ時には、角穴車２３を回転させて香箱車２１の香箱真２１ａを一方向に回転させる。これにより、香箱真かな２１ｂが回転し、香箱真かな２１ｂと噛み合う遊星伝えかな２５ａを有する遊星伝え車２５が回転する。なお、ぜんまい２２の巻き上げ時には、香箱かな２１ｃは回転しない。
【００４１】
遊星伝え車２５が回転すると、遊星伝え歯車２５ｂと噛み合う遊星中間歯車３１ａを有する遊星中間車３１が回転する。遊星中間車３１の回転に伴い、遊星車３２が公転する。このとき、香箱かな２１ｃが回転していないので、香箱かな２１ｃと噛み合う第一太陽歯車２７ｂを有する第一太陽車２７は回転していない。このため、第一太陽かな２７ｃと噛み合う遊星歯車３２ｂを有する遊星車３２は、公転および自転を同時に行う。遊星車３２が公転および自転を同時に行うと、遊星かな３２ｃと噛み合う第二太陽歯車２９ａを有する第二太陽車２９が回転する。
【００４２】
第二太陽車２９が回転すると、第一巻印中間車３３および第二巻印中間車３５を介して巻印車３７が時計回りに回転する。これにより、表示部１５におけるぜんまい２２の巻き上げ残量が最大を示す位置に向けて、指針１７を時計回りに回動させる。
【００４３】
ぜんまい２２の巻き戻し時には、香箱かな２１ｃが他方向に回転する。なお、ぜんまい２２の巻き戻し時には、香箱真２１ａは回転しない。香箱かな２１ｃが回転すると、香箱かな２１ｃと噛み合う第一太陽歯車２７ｂを有する第一太陽車２７が回転する。第一太陽車２７が回転すると、第一太陽かな２７ｃと噛み合う遊星歯車３２ｂを有する遊星車３２が自転する。このとき、香箱かな２１ｃが回転していないので、遊星伝え車２５を介して香箱かな２１ｃに連結された遊星中間車３１は回転していない。このため、遊星車３２は、公転することなく自転のみを行う。遊星車３２が自転すると、遊星かな３２ｃと噛み合う第二太陽歯車２９ａを有する第二太陽車２９が、上述したぜんまい２２の巻き上げ時とは反対方向に回転する。
【００４４】
第二太陽車２９が回転すると、第一巻印中間車３３および第二巻印中間車３５を介して、巻印車３７が反時計回りに回転する。これにより、表示部１５におけるぜんまい２２の巻き上げ残量の減少を示す方向に向かって、指針１７を反時計回りに回動させる。
【００４５】
このようにして、パワーリザーブ機構２０は、指針１７を中心軸Ｏ回りに、表示部１５の目盛り１６における一端と他端との間で、ぜんまい２２の巻き上げ量に応じて回動させることができる。
【００４６】
以上詳述したように、本実施形態のパワーリザーブ機構２０は、巻印車３７が筒車４７と同軸に配置された構成とした。
この構成によれば、指針１７が取り付けられた巻印車３７は、時針４ａが取り付けられた筒車４７と同軸に配置されているので、時針４ａの回転中心（中心軸Ｏ）と同軸に指針１７の回転中心を配置できる。これにより、パワーリザーブ機構２０の輪列の位置を変更することなく、指針１７を回動させる領域を中心軸Ｏ周りの何れの領域にも設定することができる。具体的に、図１に示す例では、パワーリザーブ機構２０の表示部１５は、３時の位置近傍に設けられているが、指針１７の巻印車３７に対する取り付け角度を変更するだけで、例えば図４に示す例のように、表示部１５を９時の位置に設けることができる。しかも、巻印車３７は、第一巻印中間車３３および第二巻印中間車３５を介して第二太陽車２９に連結されているので、各巻印中間車３３，３５の大きさや位置を適宜設定することで、巻印車３７とこれに連結された第二太陽車２９の径を小さくすることができる。また、第一巻印中間車３３および第二巻印中間車３５の減速比を適宜変更することにより、巻印車３７に取り付けられた指針１７の回動範囲を調整できるので、表示部１５の大きさを調整することができる。したがって、ムーブメント５のスペースを有効に活用するとともに、表示部１５の配置自由度を向上させることができるパワーリザーブ機構２０を提供できる。
【００４７】
さらに、中心軸Ｏと同軸に指針１７の回転中心を配置できるので、指針１７の回転中心が中心軸Ｏからずれた位置に設けられる構成と比較して、指針１７を長く形成することができる。これにより、パワーリザーブ機構２０の表示部１５の視認性を向上させることができる。
【００４８】
また、巻印車３７は、筒車４７に対して隙間を有した状態で配置され、第二輪列受７５により回転可能に支持されているので、筒車４７に対して摺接することなく回転できる。このため、筒車４７の回転に伴う巻印車３７の連れ回りを防止できる。したがって、ぜんまい２２の巻き上げ量をより正確に表示することが可能なパワーリザーブ機構２０とすることができる。
【００４９】
さらに、巻印車３７が筒車４７から離間するように針座３９により付勢されているので、巻印車３７が筒車４７に対して隙間を有する状態とすることができる。したがって、筒車４７の回転に伴う巻印車３７の連れ回りを確実に防止でき、ぜんまい２２の巻き上げ量をより正確に表示することができる。
【００５０】
本実施形態のムーブメント５は、そのスペースを有効に活用することができるパワーリザーブ機構２０を備えるので、設計の自由度が大きいムーブメント５とすることができる。
本実施形態の時計１は、ムーブメント５を備えるので、ぜんまい２２の巻き上げ量を表示することができる。
【００５１】
なお、本発明は、図面を参照して説明した上述の実施形態に限定されるものではなく、その技術的範囲において様々な変形例が考えられる。
例えば、上記実施形態においては、時計１が自動巻き式の腕時計とされているが、これに限定されず、巻真６による手巻き式の時計であってもよい。
【００５２】
また、上記実施形態においては、巻印車３７は、２個の中間車（第一巻印中間車３３および第二巻印中間車３５）を介して第二太陽車２９に連結されているが、これに限定されない。巻印車は、少なくとも１個以上の中間車を介して第二太陽車に連結される構成であればよい。なお、中間車の数を変更することで、巻印車の回転方向を適宜変更することができるので、指針の回動方向を任意に設定することが可能となる。
【００５３】
その他、本発明の趣旨を逸脱しない範囲で、上記した実施の形態における構成要素を周知の構成要素に置き換えることは適宜可能である。
【符号の説明】
【００５４】
１…時計  ４ａ…時針  ５…ムーブメント  １７…指針  ２０…パワーリザーブ機構  ２１…香箱車  ２２…ぜんまい  ２３…角穴車  ２９…第二太陽車（歯車）  ３３…第一巻印中間車（中間車）  ３５…第二巻印中間車（中間車）  ３７…巻印車  ３９…針座  ４７…筒車  ７５…第二輪列受（輪列受）
【図１】
0006738166.tif 000002
【図２】
0006738166.tif 000003
【図３】
0006738166.tif 000004
【図４】
0006738166.tif 000005